(57)【特許請求の範囲】
【請求項１】
本、雑誌、個人の発行物又はそのようなもののページ間に置かれるのに適用されるシート用ディスペンサーにおいて、前記シート用ディスペンサーが、
シートの各々が第１の端部分を有し、他方の頂部の上に一方が置かれ、かつ最上層のシートと、最上層のシートの下にじかにある下のシートと、最下層のシートとを含んでいる分与可能なシートの積層体と、
分与可能なシートの前記積層体が置かれている室を区画形成している壁であって、前記壁が、積層体の最下層のシートに隣接した位置にある後部壁と、前記最上層のシートに隣接した位置にある前部壁とを含んでいる前記壁と、前記室と反対の外面と、前記積層体を横切って延びている貫通した細長い口を区画形成している隣接した縁部であって、前記細長い口を通って積層体の最上層の分与可能なシートの第１の端部分が延びている前記縁部と、を有している容器と、
第１のシートが、細長い口を通って最上層のシートの第１の端部分を人手で引っ張ることによって、ディスペンサーから取り出されたときに、細長い口を通って下のシートの第１の端部分を運んで、前記分与の結果として、細長い口を通って延びている位置に、分与可能な下のシートの第１の端部を位置付けするのに十分なほど、積層体の下のシートの第１の端部分に最上層のシートを剥離可能に貼り付ける手段を含んでいる前記分与可能なシートと、
前記前部壁が、
積層体より上に突出する前記細長い口の両側面の前記前部壁の少なくとも一部分と、前部壁の外面より上に突出する位置で最上層のシートの第１の端部分を支持するように配置された前記前部壁の１つとをもつ突出位置と、
前記ディスペンサーの厚さを減らすために、前記積層体のシートにごく隣接し、これにほぼ平行に配置された前記前部壁をもつ引込位置と、
の間で移動できる前記前部壁と、
を具備しているディスペンサー。
【請求項２】
前記前部壁が、弾性的で可撓性の材料から形成され、対向した基端部と末端部を有している前部壁部分を備えていて、前記基端部が前記後部壁に貼り付けられ、かつ前記前部壁部分の各々が、前記細長い口を区画形成している前記隣接した縁部の１つと、最上層のシートの第１の端部分を、前部壁の外面より上に突出する位置で支持するための前記部分の１つを提供しており、前記前部壁部分が、前記引込位置に移れるように、弾性的で可撓性かつ圧縮可能であるところの請求項１に記載のディスペンサー。
【請求項３】
前記前部壁部分の前記末端部が、前記細長い口を区画形成する前記隣接した縁部を提供しており、かつ前記前部壁部分が、前記末端部を区画形成するほぼ平坦な部分を備えていて、前記末端部が、前記積層体より上に突出して配置され、前記前部壁の外面より上に突出する位置で、最上層のシートの第１の端部分を支持するための前記部分を提供しているところの請求項２に記載のディスペンサー。
【発明の詳細な説明】
発明の技術分野
本発明は、シートの密着した積層体からのシートのディスペンサーに関し、各々のシートは、様々の表面にくっつけられるように、蓄積可能な感圧型接着剤のような感圧型接着剤の帯を少なくとも備えている。本発明は、見苦しいふくらみを作ることなしに、雑誌や、カタログや、ノートブックや、個人の発行物（オルガナイザー）又はそのようなものの内部のページに貼り付けることができるような低い形状を有するそのようなディスペンサーに特に関する。
発明の背景
ミネソタマイニングアンドマニファクチュアリングカンパニイ又は３Ｍ（本件出願人の会社）は、米国特許第5,158,205号（ボドジイク氏外）に記載されている紙シートの積層体用のむしろ低い形状のディスペンサーを開発している。ボドジイク氏の特許の図１〜６には、折り込まれたカード商品より作られたディスペンサーが、紙シートの積層体（12）をぎっしりと収容することができる室を形成している。このディスペンサーの頂部壁（22）を横切って、中央に細長い口があり、そこから紙シートを連続して積層体から引っ張り出せる。各々のシートは、一側縁に隣接した一方の表面上に塗布された蓄積可能な感圧型接着剤の狭い帯を有している。積層体の最上層のシートが細長い口から引き出されると、細長い口の各々の端部での側面のスリット（24）が、図４に示されるように、頂部壁の２つの対向したフラップ状部分（28）の一方が曲げられる一方で、他方のフラップ状部分は、最上層のシートが次のシートから剥がれるように、次のシートの上に制動物（ドラグ）を置いている。
ボドジイク氏の特許の引き上げ式（ポップ−アップ）ディスペンサーは、数枚のシートよりなる“その次の（ポスト−イット）”（Ｒ）の銘柄の自己粘着性で剥離可能なメモの密着した積層体に用いられており、各々は、一側縁に隣接した一方の表面に塗布された蓄積可能な感圧型接着剤の狭い帯を有している。“その次の”（Ｒ）の銘柄の自己粘着性で蓄積可能なメモの密着した積層体で使用する技術で説明されている様々の他の引き上げ式ディスペンサーの中には、米国特許第4,416,392号（スミス氏）、米国特許第4,653,666号（メルテンス氏）、米国特許第5,080,255号（ウィンドルスキィ氏）、米国特許第5,165,570号（ウィンドルスキィ氏外）、米国特許第5,167,346号（ボドジイク氏外）及び米国特許第5,158,205号（ボドジイク氏外）で開示されているものがある。米国特許第5,165,570号の図１〜13は、ディスペンサーが基体に接着される剥離層で覆われた一組の泡が補足された感圧接着剤の帯材を備えた基体表面を有するディスペンサーを示している。
米国特許第5,411,168号及び米国特許第5,397,117号は、“その次の”（Ｒ）銘柄の自己粘着性の蓄積可能なメモの密着した積層体のための低い形状のシート用ディスペンサーの小組立体及び低い形状のシート用ディスペンサーが記載されており、米国特許第4,907,825号には、“その次の”（Ｒ）銘柄の蓄積可能なテープの付せん（フラッグ）の密着した積層体のためのものが記載されており、かつ米国特許第4,895,746号（メルテンス氏）及び米国特許第5,086,946号（ブラックウェル氏）には、接着剤を備えるシートの他の密着した積層体のためのものが記載されており、この低い形状のシート用ディスペンサーの小組立体及びシート用ディスペンサーは、本や、カタログや、パンフレットや、個人の発行物又はそのようなものの内部のページ上のような基体に貼り付けられるのに適用されている。
前述の低い形状のディスペンサーの全てが、その意図通りに働いているが、それらは、ディスペンサーから引き出される次のシートの端部分が、ディスペンサーの頂部表面に沿って存在するので、米国特許第4,907,825号（マイルス氏外）、米国特許第5,050,909号（メルテンス氏外）、米国特許第5,158,205号（ボドジイク）、米国特許第5,086,946号（ブラックウェル氏外）及び米国特許第5,518,144号（サムエルソン氏外）に記載されたディスペンサーにおいて、シートがそうであるように、ディスペンサーの頂部表面より上方に突出するシートの端部分よりも、把持するのがもっとむずかしい。
発明の要約
本発明は、“その次の”（Ｒ）銘柄の自己粘着性で蓄積可能なメモや、“その次の”（Ｒ）銘柄のテープの付せん、又は容器内の接着剤が塗布されたテープの長さ部分の密着した積層体を含んでいるシート用ディスペンサーの改善された新規な構造を提供するものであり、このディスペンサーは、前述の低い形状のディスペンサーのように低い形状をしており、閉じた書物や、カタログや、パンフレットや、個人の発行物又はそのようなものの内部のページに、目立たないように置くことができる一方で、使用するときは、次のシートがディスペンサーの容器の外表面より上方に突出する位置にあるようにされ、ディスペンサーからシートを引き出したいときに、人が簡単に把持できる。
一般に本発明のシート用ディスペンサーは、他方の頂部の上に一方が置かれた分与可能なシートの積層体（例えば蓄積可能な紙メモ、テープ状付せん、又は接着剤が塗布されたテープの長さ部分）と、分与可能なシートの積層体が置かれる室を区画形成している壁部を有している容器とを具備している。室を区画形成している壁部は、積層体の最下層のシートに隣接している後部壁と、室の反対の外表面を有し、積層体を横切って横に延びている貫通した細長い口を区画形成している隣接した縁部を有している前部壁とを含んでいる。積層体の最上層の分与可能なシートの第１の端部分は、細長い口を通って突出している。分与可能なシートは、細長い口を通って下にあるシートの第１の端部を十分に持ち出せるように、最上層のシートを積層体の下にあるシートの第１の端部に剥離可能にくっつける手段を含んでおり、これにより第１のシートが、細長い口を通って最上層のシートの第１の端部分を人手により引っ張ることによって、ディスペンサーから取り出されるときに、この分与の結果として、細長い口を通って延びている位置に、下にある分与可能なシートの第１の端部分を位置付けすることができる。容器の前部壁は、（ａ）積層体より上に突出し、前部壁の外表面より上に突出する位置に最上層のシートの第１の端部分を支持するのに配置された前部壁の突出位置と、（ｂ）ディスペンサーの厚さを減らすために、積層体上のシートの近くで、シートとほぼ平行に配置された前部壁の引込位置と、の間で動くことができる。引込位置へのそのような動きは、例えば、その本のページ間に置かれたディスペンサーをもつ本を閉じることによって、起こされる。
本発明によるディスペンサーは、シートの積層体の底部のシートが容器の後部壁に貼り付けられるか、又はさもなければ積層体が室の重要な動きが制限され、かつシートが、米国特許第5,518,144号（サムエルソン氏外）によって教示されるように、かなり広い細長い口を通って分与される型（１）のものでも、又はシートの積層体が、シートが分与されるにつれて、容器内を自由に往復動し、かつ米国特許第4,907,825号（マイルス氏外）で教示されるように、シートがむしろ狭い細長い口を通って分与される型（２）のものでもよい。
シートの積層体の底部のシートが、容器の後部壁に貼り付けられ、シートがかなり広い細長い口を通って分与される、本発明のそのようなディスペンサーのいくつかの実施の形態では、前部壁は、弾性的で可撓性の材料から作られた前部壁部分を備えている。これらの前部壁部分は、細長い口を区画形成している隣接した縁部を提供しており、かつ後部壁に貼り付けられた基端部を有している。突出位置において、前部壁部分の一部分は、前部壁の外表面より上に突出する位置に、最上層のシートの第１の端部分を支持するため、積層体より上に突出しており、かつ前部壁部分は、最上層のシートの第１の端部分をもつ引込位置に弾性的に屈曲可能であり、かつ前部壁部分は、ディスペンサーの厚さを減らすために、積層体上の他のシートとほぼ平行に配置されている。
これらのいくつかの実施の形態の１つでは、各々の前部壁部分は、ほぼ平坦である２つの部分を有し、隣接する側面で互いに側面と側面とが貼り付けられ、かつ前部壁部分の突出位置においては、互いに対して約60〜140度の範囲内の角度で配置され、その隣接する側面部分は、前部壁の外表面より上に突出する位置に、最上層のシートの第１の端部分を支持する前部壁部分の一部分を提供している。
シートの積層体が、シートが分与されるにつれて容器内を自由に往復動し、シートがむしろ狭い細長い口を通って分与される型の本発明のディスペンサーの別の実施の形態では、前部壁は、弾性的で可撓性の材料（例えば、厚紙（タグボード）又は重合物質）により形成され、後部壁から通常はアーチ状にされた前部壁で、その周囲に沿って容器の後部壁に貼り付けられている。ディスペンサーは、積層体より上のアーチ状の前部壁が、前部壁の外表面より上に突出する位置に最上層のシートの第１の端部分を支持するように、容器の後部壁に沿って積層体を保持する手段を含んでいる。それから前部壁は、ディスペンサーの厚さを減らすために、前部壁と、積層体の最上層のシートの第１の端部分とを、積層体の他のシートとほぼ平行に配置される引込位置に弾性的に曲げることができる。
本発明によるディスペンサー（前述の往復動型でも、非往復動型でもよい）の更に別の実施の形態では、前部壁は、その外表面を区画形成している柔軟で可撓性の材料の外部層と、この外部層と分与可能なシートの積層体との間の弾性的に圧縮可能な材料の層とを備えており、この積層体は、前部壁の外表面より上に突出する位置で、最上層のシートの第１の端部分を支持するために、積層体より上に突出する位置に細長い口を区画形成している縁部をもつ突出位置に、前部壁を通常は位置付けしている。弾性的に圧縮可能な材料の層は、外表面が、ディスペンサーの厚さを減らすために、積層体のシートのより近くに配置される前部壁の引込位置に、弾性的に圧縮可能である。
シートの積層体が、シートが分与されるにつれ容器内を自由に往復動でき、シートがむしろ狭い細長い口を通って分与される型の本発明のディスペンサーの更に別の実施の形態では、前部壁は、細長い口と並び、それと大きさと形がほぼ一致している通し通路を有する粘着材料から形成された前部壁部分と、弾性的で可撓性の材料の２つの弾性的で可撓性前部壁部分とを具備している。この可撓性前部壁部分は、通路の両側の前部壁部分の内面に沿って貼付された貼付端部部分と、部分的に重なった関係で通路を横切って突出するような突出端部部分とを有している。最上層のシートの第１の端部分は、この端部部分間及び細長い口を通って突出する。積層体から最上層のシートを引き出すことが、細長い口を区画形成する堅い前部壁部分の外面からほぼ直角に、通路を通って突出している対向した関係にある２つの突出端部部分を、アーチ状にし、動かす。それから積層体の第２のシートの第１の端部分が、突出端部部分間を突出し、前部壁の外面より上に突出する位置で支持される。突出端部部分は、前のシートがディスペンサーから引き出された結果、ディスペンサーから引き出される位置にある次のシートの端部を、同様な位置に支持するであろう。しかしながら望むなら、突出端部部分は、本又は発行物のページ間にディスペンサーを保管したい場合は、端部部分間で突出し、前部壁の外面に沿ってある積層体の新しい最上層のシートの第１の端部分と、部分的に重なる関係になるように、人手で戻される。
【図面の簡単な説明】
同じ部分には、図面中で同じ参照番号を付している添付の図面を参照して、本発明を更に説明する。
図１は、本発明の第１の実施の形態のシート用ディスペンサーの斜視図である。
図２は、引込位置へ圧縮された容器の前部壁部分をもつ図１のシート用ディスペンサーの側面図である。
図３は、図１のシート用ディスペンサーの拡大側面図である。
図４は、本発明の第２の実施の形態のシート用ディスペンサーの側面図である。
図５は、本発明の第３の実施の形態のシート用ディスペンサーの側面図である。
図６は、本発明の第４の実施の形態のシート用ディスペンサーの側面図である。
図７は、本発明の第５の実施の形態のシート用ディスペンサーの側面図である。
図８は、本発明の第６の実施の形態のシート用ディスペンサーの側面図である。
図９は、本発明の第７の実施の形態のシート用ディスペンサーの斜視図である。
図10，11，12は、本発明の第８の実施の形態のシート用ディスペンサーの側断面図で、それぞれこのディスペンサーの前部壁の引込位置と、突出位置及び引込位置を示している。
図13は、本発明の第９の実施の形態のシート用ディスペンサーの斜視図である。
図14は、図13のほぼ線14−14に沿って切断した断面図である。
図15は、図14と同様の断面図であるが、引込位置でのディスペンサーの前部壁と閉じた位置でのカバーとを示している。
図16は、図13のシート用ディスペンサーが形成される前の組み立て部品の平面図である。
図17は、本発明の第10の実施の形態のシート用ディスペンサーの側面図である。
図18は、本発明の第11の実施の形態のシート用ディスペンサーの斜視図である。
好ましい実施の形態の説明
図１，２，３を参照すると、本発明の第１の実施の形態のシート用ディスペンサーが、参照番号10で示されている。このシート用ディスペンサー10は、容器12と、その容器12の壁によって区画形成された室13内の分与シート18の積層体14（後に説明するが、ミネソタマイニングアンドマニファクチュアリングカンパニイによって販売されている“その次の（ポスト−イット）”（Ｒ）銘柄のテープ状付せんの積層体である）とを含んでいる。ディスペンサー10は、シート18の積層体14の底部シートが容器12の後部壁に貼り付けられ、シート18が、米国特許第5,518,144号（サムエルソン氏外）の教示によるように、かなり広い細長い口を通って分与される型のものである。容器12の前部壁部分16は、細長い口を区画形成する縁部17を有し、その口を通って、積層体14の頂部シート18の第１の端部分20が突出する。図１に示されるように、これらの前部壁部分16の一部分25は、前部壁の外面より上に突出する位置に、頂部シート18の第１の端部分20を置くために、シートの積層体の頂部面より上に通常は突出しており、この位置では、端部分20が、容器12から頂部シート18を引き出すのに容易につかめる。前部壁部分16は、可撓性材料で作られており、それにより図２に示されるように、それらは、シートの積層体14の頂部面に沿って横たわるように弾性的に曲げられ、例えばディスペンサー10が、本や、雑誌や、個人の発行物（オルガナイザー）又はそのようなもののページに置かれ、それらが、点線15で表わされた表面のように表面が積層体14に前部壁部分16を押し付けるように閉じられたときに、ディスペンサー10の厚さを減らせる。
積層体14として６枚だけのシート18が図示され、拡大して詳しく示されている図３に見られるように、一般にディスペンサー10内の積層体14は、他方の頂部上に一方が配置され、最上層のシートと最下層のシートとを含む分与可能なシート18よりなっている。積層体14内の各々のシート18は、対向する上部及び下部の大部分の側面と、積層体14内で整列しているシート端部をもつ対向する第１と第２の端部とを有する裏張り（バッキング）19を備えており、かつその裏張りの下部側面に永久的に接着された接着剤の層21を有している。シート18の接着剤の層21は、積層体14内の隣接したシートの上部面に沿って剥離可能に接着されている。シート18は、接着剤の層21が剥離可能に接着されている積層体14内の隣接したシート18の下部側面と上部側面との間の裏張りの第１の端部に隣接したシートの第１の端部分22に沿って、第１の接着レベルを提供する剥離手段を備えており、その第１の接着レベルは、下部側面に沿う接着剤の層21が、第１の端部分22に沿う隣接したシート18の側面間の摺動及び／又は持ち上げの動きを与えるように、剥離可能に接着されている下部側面と隣接したシート間での十分に低い剥離力を必要とするか、又は剥離力を必要としない。接着手段は、接着剤の層20が剥離可能に接着されている積層体14内の隣接したシート18の接着剤の層21と上部側面との間の裏張り19の第２の端部に隣接したシート18の第２の端部分23に沿って第２の接着レベルを提供しており、この第２の接着レベルは、第１の端部分22に沿う十分に低い剥離力又は無剥離力よりも強い剥離力を提供しており、第１の端部分22に沿う隣接したシート18に対し、シート18の摺動及び／又は持ち上げの動きの間、積層体14内の隣接したシート18にシート18をしっかりと接着する一方で、第２の端部分22に沿う積層体14からシートを剥がすことができる。図示されたシート18は、第１の端部分22に沿って接着剤が塗布されておらず、それにより第１の接着レベルは、第１の端部分に沿う隣接したシート18の側面間の摺動及び／又は持ち上げの動きを与えるのに、何ら剥離力を必要としない。代りにシートは、全長にわたって接着剤を塗布することもでき、その場合、剥離物質の層がシート18の上面に必要であり、そこに第１の端部分22の接着剤が、第１の端部分22に沿う隣接したシート18の側面間の摺動及び／又は持ち上げの動きを与えるのに十分に低い接着レベルと、第２の端部分23に沿う第２の剥離レベルとを提供するために接着されている。
容器12内の室13を区画形成している壁は、積層体14内の最下層のシート18に隣接していて、最下層のシート18が貼り付けられている後部壁26と、積層体14を横切って横に延びている貫通した細長い口を区画形成している隣接した縁部を有し、その口を通って、積層体14の最上層の分与シート18の第１の端部分20が突出している前部壁と、を含んでいる。分与シート18の積層体14と容器12とは、細長い口を通って延びている第１の端部分20を有する分与シート18が分与できるようにされており、その場合、第１の端部分20は、細長い口を通って人手により引っ張られ、その結果、第１の端部分22に沿う隣接した分与シート18に対して、分与シート18の１枚が摺動及び／又は持ち上げの動きをし、第２の端部分23に沿う積層体14から分与シート18が剥がれ、そのような分与の結果として、細長い口を通って延びている位置に、下にある分与シート18の第１の端部分20を置く。
ディスペンサー10の容器12の壁は、弾力性があり可撓性の重合物質（例えば約0.012インチ又は0.030cmの厚さのポリエステル）の一片から熱成形される。ディスペンサー10の前部壁は、それらの末端部で、細長い口を区画形成する隣接した縁部17と、後部壁26に貼り付けられた基端部24とを有する２つの配分された前部壁部分16を備えている。前部壁部分16の各々は、ほぼ平坦な２つの部分を含んでおり、隣接した側面で互いに側面と側面とが貼り付けられ、互いに内抱角（例えば約130度）で配置されている。この部分の隣接した側面は、前部壁部分16の末端部と基端部との間でほぼ中央に位置されている、前部壁の外面より上に突出する位置で、最上層のシートの第１の端部分を支持するために、積層体14より上に突出している前部壁部分16の一部分25を提供している。前部壁部分16が積層体14の頂部の方に押圧されるとき（例えば、ディスペンサーが置かれた本を閉じることによって）、前部壁部分16は、図２に示されるように前部壁の部分25と最上層のシート18の第１の端部分20とを、積層体14の頂部面の近く、かつ頂部面と同一平面に動かすように弾性的に曲げられる。しかしながら、この押圧力が解かれると（例えば本が再び開かれることによって）、前部壁部分16は、通常の突出位置（図１と３）に再び戻り、そこで、前部壁部分の一部分25は、前部壁の外面より上に突出する位置に、最上層のシート18の第１の端部分20を再び支持する。もしディスペンサー10から分与されたシート18が、全長にわたって接着剤が塗布されているなら、接着剤と前部壁部分16との間の接着力を、それらをエンボス加工すること又はそれらに剥離物質を塗布することによって、減らすことが望ましい。
図４〜８を参照すると、ディスペンサー10に用いられる同様の型の積層体14からシートを分与するのに適用されている本発明のいくつかの別の実施の形態のシート用ディスペンサー30，40，50，60及び70が示されており、かつディスペンサー10と同様に、米国特許第5,518,144号（サムエルソン氏外）で教示されるように、シートの積層体14の最も低いシートが容器の後部壁に貼り付けられ、シート18がかなり広い細長い口を通って分与される型でもある。ディスペンサー10と同様に、ディスペンサー30〜70の容器の壁は、弾性的で可撓性の重合物質（例えば約0.030cm又は0.012インチ厚のポリエステル）の一片から熱成形される。容器の前部壁の各々は、積層体の頂部シートの端部分がそこを通って突出している細長い口を区画形成している隣接した縁部を提供する末端部と、後部壁に貼り付けられている、末端部と反対の基端部とを有している２つの配分された前部壁部分を備えている。ディスペンサー30〜70の容器の前部壁部分は、最上層のシートの第１の端部分を、前部壁の外面から上に突出する位置に支持するために、積層体より上の突出位置に通常は突出している部分を有するが、その突出している部分に圧力がかかると（例えば本のページ間で押圧されることによって）、それらは、前部壁部分と最上層のシートの第１の端部分とを、ディスペンサーの厚さを減らすように、積層体のシートの近くにかつシートとほぼ平行に配置される引込位置へと、弾力的に平坦にする。ディスペンサー30〜70は、主にその前部壁部分の形状で、ディスペンサー10とは異なっている。
例えば図４に示されるディスペンサー30は、容器31の前部壁部分32が、ほぼ断面Ｖ字形である代りに、断面が各々アーチ状であり、かつ前部壁の外面より上に突出する位置に、積層体14の最上層のシート18の第１の端部分20を支持するために、前部壁部分32の末端部37と基端部38との間のほぼ中央の部分35を提供するように、後部壁34に対向した筒状の凸面を有していることを除いて、図１〜３に示されているディスペンサー10とほぼ同じである。
図５，６，７にそれぞれ示されたディスペンサー40，50と60の容器では、前部壁部分43，53と63は、細長い口を区画形成する隣接した縁部を提供しており、かつ前部壁部分43，53と63は、末端部42，52と62を区画形成するほぼ平坦な部分44，54と64を備え、末端部42，52と62はシート18の積層体14より上に突出して配置され、かつ前部壁の外面より上に突出する位置に、最上層のシートの第１の端部分を支持するための部分を提供している。ディスペンサー40においては、各々の前部壁部分43は、後部壁45に貼り付けられ、かつそこから突出している唯一つの平坦部分44によって形成されている。ディスペンサー50においては、末端部52を区画形成している平坦部分54は、積層体14の両端のまわりを架設する、ほぼ逆にされたＶ字形の方向に配置された連結した平坦部分57と58の端部で支持されており、これにより前部壁部分53の各々は、ほぼ平坦で、隣接した側面で互いに側面と側面とが貼り付けられ、かつお互いに対して約80〜100度の範囲の内抱角で配置されている２つの部分54と58とを有する。ディスペンサー60においては、末端部62を区画形成している平坦な部分64は、積層体14の両端のまわりを架設する、互いにほぼ直角で配置された連結した平坦な部分67と68の端部で支持されており、これにより前部壁部分63の各々は、ほぼ平坦で、隣接した側面で互いに側面と側面とが貼り付けられ、かつお互いに対して約120〜140度の範囲の内抱角で配置されている２つの部分64と68とを有している。
図８に示されたディスペンサー70においては、前部壁部分71の各々は、第１と第２のほぼ平坦な部分72と73とを備えており、第１と第２の部分72と73は、隣接した側面74で互いに連結され、かつ末端部であって、積層体14上に支持されているこれらの隣接した側面74の反対の第２の部分73の側面75と互いに鋭角で配置されており、かつ２つの前部壁部分71上の隣接した側面74が、間隔を置いて離され、細長い口を区画形成する縁部を有していて、前部壁の外面より上に突出する位置で最上層のシート18の第１の端部分20を支持するための前部壁部分71の一部分を提供している。
米国特許出願第008／263,601号（サムエルソン氏外）で教示されるような、シート18の積層体14の底部シートが、容器81の後部壁に貼り付けられ、シート18がかなり広い細長い口を通って分与される型の本発明のディスペンサー80が、図９に示されている。このディスペンサー80は、可撓性のラベル品の材料からなり、その外面に沿う剥離層によって覆われた感圧型接着剤の層を有している、通常長方形の後部壁82を含む容器81を備えている。この容器81は、後部壁82の周囲に、その周囲で貼り付けられた柔軟で可撓性材料（例えば0.0035インチ又は0.0089cm厚のポリプロピレンのような重合物質）の外層84と、この外層84の内面に接着された弾力性があり圧縮可能な材料（例えば１／８〜３／８インチ厚の低密度の発泡重合体）の層85とを備えているほぼ長方形の前部壁83もまた含んでいる。前述の積層体14と同様である分与可能なシートの積層体14は、圧縮可能な層85と後部壁82との間で区画形成される室86内に置かれ、この積層体は、両側の縁部87によって区画形成された前部壁83の開口又は細長い口を通って突出する、積層体14上の最上層シート18の端部分20を有している。圧縮可能な層85は、通常は積層体14より上に縁部87を持ち上げており、これにより積層体の頂部シートの端部分20が、前部壁83の外面より上方に突出する。しかしながら、弾性的で圧縮可能な材料の層85は、前部壁83の外面を、ディスペンサー80の厚さを減らすために、積層体14上のシート18により近くに配置される引込位置へと弾性的に圧縮され、この場合は、例えばディスペンサー80の後部壁82が本のページに沿って貼り付けられ、本が閉じられる場合である。圧縮力が解かれると（例えば本が開かれると）、圧縮可能な層85は、積層体14から縁部87の間隔をあけるように再び膨脹し、頂部シート18の端部分20が、再び前部壁の外面より上方に突出するようにし、人がディスペンサー80からシートを引き出したいときに、容易にシートの端部分が把持できる。ディスペンサー80は、米国特許第4,907,825号（マイルス氏外）で教示されているように、シート18が分与されるにつれて、シートの積層体14が室86内を自由に往復動でき、かつシート18がむしろ狭い細長い口を通って分与される型のものに、室86をそのような往復動ができるような十分な長さにし、縁部87をシートが分与される狭い細長い口の近くに移動することによって、変更できる。
図10〜12は、本発明のディスペンサー90を示しており、それは、米国特許第4,770,320号（マイルス氏外）に記載されている商標“その次の（ポスト−イット”（Ｒ）銘柄のテープ状付せんとして、ミネソタマイニングアンドマニファクチュアリング社より販売されているディスペンサーを改良したものである。このディスペンサー90は、米国特許第4,770,320号（マイルス氏外）で教示されているように、シート18の積層体14が、シート18が分与されるにつれ容器内を自由に往復動でき、シート18がむしろ狭い細長い口を通って分与される型のものである。ディスペンサー90の容器91は、米国特許第4,770,320号に記載されたディスペンサーのテープ状付せん又はシートの出口の細長い口を区画形成している容器の前部壁の堅い突出部が、取り除かれて、２つの可撓性の前部壁部分94に替えられている点で、米国特許第4,770,320号に記載のディスペンサーの容器又は閉鎖体とは異なっている。このように本発明によるディスペンサー90の容器91の前部壁は、米国特許第4,770,320号に記載のディスペンサーの細長い口と同一平面で、ほぼ大きさと形が一致している通し通路93を有する、堅い重合物質から形成された前部壁部分92と、２つの可撓性前部壁部分94（例えば、いくつかの用途では剥離剤が塗布されている0.002〜0.005インチ又は0.005〜0.0127cm厚のポリエステルより形成された）とを備えている。可撓性前部壁部分94は、通路93の両側の前部壁部分92の内部に貼り付けられた貼り付け端部部分96と、前部壁92の引込位置（図10を参照）において部分的に重なった関係で通路93を横切って突出するようにされた突出端部部分97とを有している。前部壁92の引込位置においては、積層体14の最上層のシート18の第１の端部分20は、突出端部部分97間を通り、通路93を通って、前部壁部分92の外面に沿って突出する。積層体14から最上層のシート18を人手により引き出すことによって、通路93を通って突出し、向い合う関係にある突出端部部分97が、前部壁92の外面から離れてほぼ直角にアーチ状に動き（図11を参照）、その突出端部部分間でシート18の出口の細長い口を区画形成する。それから積層体の最上層のシート18の第１の端部分20は、突出端部部分97間を突出し、前部壁92の外面より上に突出する位置で支持される。突出端部部分97は、シート18がディスペンサー90から引き出される結果として、ディスペンサー90から引き出される位置にある次のシート18の端部分20を、同様の位置で支持する。しかしながら、本又は発行物のページの間にディスペンサー90を備えるのが望まれるので、望むときに、突出端部部分97は、部分的に重なった端部部分97間に突出し、前部壁92の外面に沿って横になる積層体の新しい最上層のシート18の第１の端部分20と部分的に重なる関係になるように、人手により戻される（図12を参照）。突出端部部分97の部分的に重なる関係へのそのような戻りは、突出端部部分97とディスペンサー90の積層体14へとそれらの間を突出しているシート18の第１の端部20との外端を押圧することによって行われる。
図13，14，15と16は、本発明の第９の実施の形態のディスペンサーを示しており、一般に参照番号100で示し、これは、米国特許第4,770,320号（マイルス氏外）で教示されるように、シート18の積層体14が、シート18が分与されるにつれ容器102内を自由に往復動でき、シート18がむしろ狭い細長い口を通って分与される型のものである。このシート用ディスペンサー100は、容器102と２つの分与シートの積層体14とを含んでいる（積層体14は前述の型の１つであり、かつ１つ又は２以上の積層体が用いられ、違った幅も可能であるが、図示されている積層体14は、ミネソタマイニングアンドマニファクチュアリング社によって販売されている３／８インチ幅の“その先の”（Ｒ）銘柄のテープ状付せんである）。容器102の前部壁103は、細長い口104を区画形成する対向する縁部を有しており、そこを通って積層体14の頂部シート18の端部分20が突出する。前部壁103は、前部壁103の外面より上に突出する位置に頂部シート18の端部分20を位置付けるため、通常はシート18の積層体14の頂部面より上に突出しており（図13と14を参照）、これにより容器102から頂部シート18のいずれかを引き出すために、容易に把持できる。前部壁103は可撓性材料（例えば可撓性の12〜20ポイントのカード品）よりなり、それにより、例えばディスペンサー100が、本や、雑誌や、個人の発行物又はそのようなもののページに置かれ、それらが閉じられたときに、その前部壁が、積層体14の頂部面近くに横たわるように弾性的に曲げられ、ディスペンサー100の厚さを減らしている。
ディスペンサー100の容器102は、前部壁103と同じ可撓性材料の長方形の後部壁106と、後部壁106の内面に沿って積層体14を保持する手段とを含んでいる。図示したように、その手段は、積層体14を越えて延び、後部壁106に接着された周辺部108を有する、米国特許第5,397,117号（メルテンス氏）に記載の型の可撓性のカバー層107である。図16は、積層体14と、カバー層107と、容器102の大部分が形成される弾性的な可撓性材料の成形シート109とを含む部分組立品を示している。ディスペンサー100の前部壁103は、後部壁106と、前部壁の両側の２つの弾性部分110と、後部壁106と反対の前部壁103の側面の貼付タブ111と、前部壁103と反対の後部壁106の側面のカバー112とを含む成形シート109の一部分のみである。成形シート109は、前部壁103の内面に沿って弾性部分110を位置付けするために、前部壁103の両側で折られ、それから前部壁103と反対の弾性部分110の表面に沿って貼付タブ111を位置付けするために、前部壁103と貼付タブ111との間で折られ、接着される後部壁106の内面に沿って貼付タブ111を位置付けするために、前部壁113と後部壁106との間で折られる。シート18の端部分20は、弾性部分110の両端のノッチ114と前部壁103の細長い口104とを通って延びているように置かれている。そのとき弾性部分110は、カバー層107を横切って架橋し、カバー層107に沿って置かれておるのに対し、前部壁103は、前部壁103と弾性部分110との間の折り部の弾性のために、弾性部分110とカバー層107から離れて、通常はアーチ状になる。前部端103のその位置では、積層体14の頂部シート18の端部分20がそこを通って突出している細長い口104を区画形成する対向する縁部は、図14に最も良く示されるように、前部壁103の外面より上に突出する位置で、これらの第１の端部分20を支持している。しかしながら、前部壁103は、ディスペンサー100の厚さを減らすために、弾性部分110上の前部壁103と最上層のシート18の第１の端部分20とを、前部壁103の外面に沿って配置する引込位置に、弾性的に移動可能である。前部壁103を引込位置に動かすための圧力を与えるためと、前部壁103が引込位置にあるときに、シート18の端部分20を保護するために、カバー112と後部壁106との間のシート109を曲げることによって、カバー112が、頂部シート18の突出端部分20に接近することができる開放位置（図13と14）と閉鎖位置（図15）との間で動かされる。
図17を参照すると、本発明の第10の実施の形態のシート用ディスペンサー120が示されており、ディスペンサー10に用いられるのと同様の型の積層体14からシートを分与するのに適用され、米国特許第5,518,144号（サムエルソン氏外）で教示されるように、シート18の積層体14の底部シートが、容器122の後部壁123に貼り付けられ、シート18がかなり広い細長い口から分与される型のものである。ディスペンサー120は、後部壁123と、２つの対向する側壁124と、２つの対向する前部壁部分の対向し、平行な平坦部分125とを有する容器122を含み、これらは、堅くて弾性的で可撓性の重合物質の一片から熱成形される。容器122の前部壁部分は、堅い部分125の末端部で、ラミネートされた延長部分をもつことで貼り付けられた弾性的で可撓性材料の２つの平坦部分126もまた含んでいる。この可撓性平坦部分126は、堅い部分125に対して100〜160度の範囲（例えば、115度）の内抱角で配置される。可撓性部分126は、積層体14の頂部シート18の端部分20がそこを通って突出する細長い口を区画形成する隣接した縁部127を提供する末端部を有している。可撓性部分126は、最上層のシート18の第１の端部分20を、容器122の前部壁の外面より上に突出する位置で支持するために、積層体14より上方の突出位置に通常は突出している部分を有している。しかしながら圧力が可撓性部分126に加えられると（例えば、本のページ間で押圧されることによって）、ディスペンサー120の厚さを減らすため、前部壁部分と最上層のシート18の第１の端部分20とが、積層体14のシート18の近くでこれとほぼ平行に配置される引込位置へと弾性的に平坦にされる。
図18は、本発明によるディスペンサー130を示しており、これは、米国特許第4,770,320号（マイルス氏外）で教示されているように、前述の積層体14と同様に、シート18の積層体14が、シート18が分与されるにつれ容器132内の室で自由に往復動でき、シート18がむしろ狭い細長い口を通って分与される型のものである。この容器132は、可撓性のラベル品材料よりなるほぼ長方形の後部壁を含み、外面に沿う剥離層によって覆われた感圧型接着剤の層を有する。容器132は、後部壁133の周囲に、その周辺部で貼り付けられている強い可撓性材料（例えば、0.003インチ又は0.008cm厚のポリプロピレンのような重合物質）の主前部壁部分134を含んでいるほぼ長方形の可撓性前部壁をもまた含み、かつ室内のシート18の積層体14に横切って中央に貫通して設けられた通路136を有している。前部壁は、２つの可撓性シートの支持前部壁部分137（例えば、いくつかの用途に対しては剥離剤が塗布されている0.002〜0.005インチ又は0.005〜0.0127cm厚のポリエステルから形成される）をもまた含んでいる。この２つの可撓性支持前部壁部分137は、通路136の両側面の主前部壁部分134の内面に沿って貼り付けられる貼付端部部分138と、シート18のための出口の細長い口を区画形成するため、前部壁の突出位置で前部壁の主部分134の外面から離れて、ほぼ直角に、通路136を通って向い合った関係で突出する突出端部部分139とを有している。そのとき積層体の最上層のシート18の第１の端部分20は、突出端部部分139間で突出し、前部壁の主部分134の外面より上に突出する位置で支持される。それから突出端部部分139は、ディスペンサー130からシート18が引き出される結果として、ディスペンサー130から引き出される位置にいる次のシートの端部分20を同じ位置で通常は支持する。しかしながら突出端部部分139は、例えば容器131の後部壁133が本のページに沿って貼り付けられ、本が閉じられた場合に、ディスペンサー130の厚さを減らすために、シート18の端部分20を主前部壁部分134の外面に沿って横にする引込位置へと、弾性的に圧縮される。圧縮力が解かれると（例えば本が開かれると）、突出端部部分139は、頂部シート18の端部部分20を、前部壁の主部分134の外面より上に再び突出させる通常の位置に戻り、その場合、人がディスペンサー130からシートを引き出したいときに、容易に把持できる。ディスペンサー130は、室の大きさを減らし、積層体が室の中を往復動できなくすること、及びシートが分与される細長い口をもっと広くするために端部部分139同志を移動させて離すことによって、米国特許第4,907,825号（マイルス氏外）で教示されるように、シート18の積層体14の底部シートが後部壁に沿う位置に固定され、シート18がより広い細長い口を通って分与される型のものにもまた変更できる。
本発明によるディスペンサーは、いくつかの実施の形態及びその変形を参照して説明されている。本発明の範囲から離れることなく、記載された実施の形態の中で多くの変更が可能であることは、当業者であれば明らかであろう。このように本発明の範囲は、この明細書で記載された構成に限定されるものではなく、請求の範囲の用語及びその同義語で説明される構成にも及ぶものである。
【図１】
0003899382.tif 000002
【図２】
0003899382.tif 000003
【図３】
0003899382.tif 000004
【図４】
0003899382.tif 000005
【図５】
0003899382.tif 000006
【図６】
0003899382.tif 000007
【図７】
0003899382.tif 000008
【図８】
0003899382.tif 000009
【図９】
0003899382.tif 000010
【図１８】
0003899382.tif 000011
【図１０】
0003899382.tif 000012
【図１１】
0003899382.tif 000013
【図１２】
0003899382.tif 000014
【図１３】
0003899382.tif 000015
【図１４】
0003899382.tif 000016
【図１５】
0003899382.tif 000017
【図１６】
0003899382.tif 000018
【図１７】
0003899382.tif 000019